(57)【要約】  【課題】着座時に不要音が発生せず且つクッション部により快適なクッション性を得られ、また、そのクッション部が芯材部の開口部から露出することを効果的に防止して且つそのクッション部を直接触手不能であるといった、高性能な椅子を提供する。  【解決手段】芯材部１と、前記芯材部１の表面側に配設されるクッション部２と、前記芯材部１および前記クッション部２を被覆する上張り地３とを具備する椅子Ａであって、前記芯材部１が、表面側に開口する表面側開口部Ｘと、この表面側開口部Ｘと連通し且つその表面側開口部Ｘと平面視重合することを避けて裏面側で開口する裏面側開口部Ｙとを備え、着座により前記上張り地３と前記芯材部１との間で圧縮される前記クッション部２内の空気が、前記表面側開口部Ｘより案内されて裏面側開口部Ｙから放出されるように構成した。【選択図】図８
2005144048.tif 000002
【特許請求の範囲】
【請求項１】
芯材部と、前記芯材部の表面側に配設されるクッション部と、前記芯材部および前記クッション部を被覆する上張り地とを具備する椅子であって、
前記芯材部が、
表面側に開口する表面側開口部と、この表面側開口部と連通し且つその表面側開口部と平面視重合することを避けて裏面側で開口する裏面側開口部とを備え、
着座により前記上張り地と前記芯材部との間で圧縮される前記クッション部内の空気が、前記表面側開口部より案内されて裏面側開口部から放出されるように構成していることを特徴とする椅子。
【請求項２】
前記裏面側開口部と前記表面側開口部とが、略直交する位置関係にあることを特徴とする請求項１記載の椅子。
【請求項３】
前記クッション部が、複数のクッション要素を接合させることにより形成したものであって、
前記表面側開口部を、個々のクッション要素よりも小さく構成していることを特徴とする請求項１または２記載の椅子。
【請求項４】
前記クッション部が、使用済みの所定部材を分断して形成したクッション要素を、再成形することにより形成した再生品であることを特徴とする請求項１乃至３いずれか記載の椅子。
【請求項５】
前記上張り地が、通気性を有さないものであることを特徴とする請求項１乃至４いずれか記載の椅子。
【請求項６】
複数の表面側開口部を、前記芯材部の所定部分に少なくとも配置していることを特徴とする請求項１乃至５いずれか記載の椅子。
【請求項７】
前記表面側開口部側を基端とし、且つ、前記表面側開口部から離間する方向に延びる補強リブを、裏面側に備え、
前記補強リブによって、所定の表面側開口部を、前記所定の表面側開口部より小さな複数の開口部に分割していることを特徴とする請求項６記載の椅子。
【請求項８】
前記表面側開口部側を基端とし、且つ、前記表面側開口部から離間する方向に延びる補強リブを、表面側に備えていることを特徴とする請求項６記載の椅子。
【請求項９】
前記補強リブの先端部間を横架する横架片を備えていることを特徴とする請求項７または８記載の椅子。
【請求項１０】
前記横架片と、前記横架片の両側縁から起立する補強リブとが、断面視略上向きコ字状の空気抜き案内部を形成するものであって、
前記空気抜き案内部における前記補強リブの基端部に、前記表面側開口部を設定し、
前記空気抜き案内部における前記補強リブの端縁と前記横架片の端縁とで囲まれる部位に、前記裏面側開口部を設定していることを特徴とする請求項９記載の椅子。
【請求項１１】
請求項１乃至１０いずれか記載の椅子を構成する座であって、
前記芯材部と前記クッション部と前記上張り地とを具備するとともに、
前記芯材部に、前記表側開口部と前記裏面側開口部とを形成してなることを特徴とする椅子用座。
【請求項１２】
請求項１乃至１０いずれか記載の椅子を構成する背凭れであって、
前記芯材部と前記クッション部と前記上張り地とを具備するとともに、
前記芯材部に、前記表側開口部と前記裏面側開口部とを形成してなることを特徴とする椅子用背凭れ。
【発明の詳細な説明】
【技術分野】
【０００１】
本発明は、オフィスや会議室等で使用され、座または背凭れにクッション性をもたせた椅子に関するものである。
【背景技術】
【０００２】
従来から、着座時の座り心地をよくするために、座や背凭れに、伸縮性のあるクッション部を採用したものが知られている。
【０００３】
具体的に述べると、この種の座には、例えば、クッション部の上面に上張り地を被覆し、該上張り地の周縁部をクッション部の周縁部下面に巻き込んでその位置で保持し、クッション部が上面側に露出しないように構成されている（例えば特許文献１参照）。
【特許文献１】特開平１０−２７６８５５号公報（第３頁、第１図）
【発明の開示】
【発明が解決しようとする課題】
【０００４】
ところが、従来の椅子の構成では、座の下面側からクッション部を触手できてしまうといった不具合がある。また、これを防止するために、上張り地によってクッション部の下面全体を覆うと、着座時に圧縮された空気が、上張り地の接合部分の隙間からしか放出されなくなる。このため、座り心地が悪くなったり、また、その隙間から放出される空気が、不要音を発生したりして、椅子としての高級感が損なわれるといった課題を有している。
【０００５】
また、例えば、合成樹脂製のシェルたる芯材部でクッション部を下方から支持するとともに、上張り地を該芯材部の周端部下面で止着し、さらに、該芯材部に空気抜け用の開口部を形成したとしても、不要音の発生は防止し得るものの、この開口部から着座により圧縮されたクッション部がはみ出たり、あるいは、細切れになってボロボロと落下したりしてしまい、上述の不具合を効果的に改善できるものではない。
【０００６】
本発明は、このような課題に着目してなされたものであって、主たる目的は、着座時に不要音が発生せず且つクッション部により快適なクッション性を得られ、また、そのクッション部が芯材部の開口部から露出することを効果的に防止して且つそのクッション部を直接触手不能であるといった、高性能な椅子を提供することにある。
【課題を解決するための手段】
【０００７】
すなわち、本発明の椅子は、芯材部と、前記芯材部の表面側に配設されるクッション部と、前記芯材部および前記クッション部を被覆する上張り地とを具備する椅子であって、前記芯材部が、表面側に開口する表面側開口部と、この表面側開口部と連通し且つその表面側開口部と平面視重合することを避けて裏面側で開口する裏面側開口部とを備え、着座により前記上張り地と前記芯材部との間で圧縮される前記クッション部内の空気が、前記表面側開口部より案内されて裏面側開口部から放出されるように構成していることを特徴とする。
【０００８】
このようなものであれば、裏面側開口部や表面側開口部の開口面積を広く取れば、着座により上張り地と芯材部との間で圧縮される空気が、表面側開口部より裏面側開口部に案内されて、効果的に放出される。すなわち、着座時に発生する不要音を防止することができる。また、裏面側開口部を、表面側開口部と平面視重合する位置を避けた裏面側の所定位置に位置付けているので、表面側開口部の表面側にあるクッション部に手指が触れることを防止できる。
【０００９】
すなわち、着座時に不要音が発生せず且つクッション部により快適なクッション性を得られ、また、そのクッション部が芯材部の開口部から露出することを効果的に防止して且つそのクッション部を直接触手不能であるといった、高性能な椅子を提供することができる。
【００１０】
なお、表面側開口部と裏面側開口部とを近接配置してコンパクトに構成するためには、前記裏面側開口部と前記表面側開口部とが、略直交する位置関係にあることが望ましい。
【００１１】
また、前記クッション部が、複数のクッション要素を接合させることにより形成したものであって、前記表面側開口部を、個々のクッション要素よりも小さく構成しているものであれば、クッション部と表面側開口部との当接等によって生じるクッション要素の接合が解除されることを、効果的に防止できる。また、擦れたりして接合を解除された場合でも、クッション要素が、表面側開口部からその表面側開口部内に入ってしまうことを防止できる。
【００１２】
また、前記クッション部が、使用済みの所定部材を分断して形成したクッション要素を、再成形することにより形成した再生品であれば、環境問題に配慮して、使用済みの部材の有効利用を推進できる。また、再生品に外観上の問題があっても、このクッション部は、外観に露出されるものではないので、略そのままで使用でき、コストダウンを図ることもできる。
【００１３】
ところで、前記上張り地が、通気性を有さないものであっても、問題なく使用することができ、例えば、この上張り地にビニールレザーなどの比較的安価な素材を適用してコストダウンを推進できる。
【００１４】
また、複数の表面側開口部を、前記芯材部の所定部分に少なくとも配置しているものであれば、表面側開口部を個々のクッション要素よりも小さい複数の開口部に分割形成することで、クッション要素が外部にこぼれ出ることを防止しつつ内部の空気を効果的に放出することができる。
【００１５】
加えて、耐荷重性を向上させるには、前記表面側開口部側を基端とし、且つ、前記表面側開口部から離間する方向に延びる補強リブを、裏面側に備え、前記補強リブによって、所定の表面側開口部を、前記所定の表面側開口部より小さな複数の開口部に分割していることが好ましい。
【００１６】
また、所要の効果を保持しつつ外観に突起物が出ずに、その外観をすっきりするためには、前記表面側開口部側を基端とし、且つ、前記表面側開口部から離間する方向に延びる補強リブを、表面側に備えていることが好ましい。
【００１７】
なお、前記補強リブの先端部間を横架する横架片を備えているものであれば、さらに耐荷重性が向上する。
【００１８】
クッション部に手指が触れることを効果的に禁止するためには、前記横架片と、前記横架片の両側縁から起立する補強リブとが、断面視略上向きコ字状の空気抜き案内部を形成するものであって、前記空気抜き案内部における前記補強リブの基端部に、前記表面側開口部を設定し、前記空気抜き案内部における前記補強リブの端縁と前記横架片の端縁とで囲まれる部位に、前記裏面側開口部を設定していることが望ましい。
【００１９】
ところで、上述の椅子を構成する椅子用座の具体的態様としては、前記芯材部と前記クッション部と前記上張り地とを具備するとともに、前記芯材部に、前記表側開口部と前記裏面側開口部とを形成してなるものが挙げられる。
【００２０】
また、上述の椅子を構成する椅子用背凭れの具体的態様としては、前記芯材部と前記クッション部と前記上張り地とを具備するとともに、前記芯材部に、前記表側開口部と前記裏面側開口部とを形成してなるものが挙げられる。
【発明の効果】
【００２１】
以上説明したように本発明の椅子によれば、裏面側開口部や表面側開口部の開口面積を広く取れば、着座により上張り地と芯材部との間で圧縮される空気が、表面側開口部より裏面側開口部に案内されて、効果的に放出される。すなわち、着座時に発生する不要音を防止することができる。また、裏面側開口部を、表面側開口部と平面視重合する位置を避けた裏面側の所定位置に位置付けているので、表面側開口部の表面側にあるクッション部に手指が触れることを防止できる。
【００２２】
すなわち、着座時に不要音が発生せず且つクッション部により快適なクッション性を得られ、また、そのクッション部が芯材部の開口部から露出することを効果的に防止して且つそのクッション部を直接触手不能であるといった、高性能な椅子を提供することができる。
【発明を実施するための最良の形態】
【００２３】
以下、本発明の一実施形態を、図面を参照して説明する。
【００２４】
本発明に係る椅子Ａは、図１に示すように、オフィスや会議室等において単独またはテーブルなどの他の家具ともに使用されるものであって、椅子本体Ａ１と、この椅子本体Ａ１に支持される座Ａ２と、背凭れＡ３とを具備している。
【００２５】
以下、各部を説明するが、本実施形態において、着座を行う側を前側、背凭れＡ３側を後側、と定義して説明を進めるものとする。
【００２６】
椅子本体Ａ１は、図１、図２、図３に示すように、下端部にキャスタＣを取着した脚部Ａ１１と、この脚部Ａ１１に支持される座受け部Ａ１２および背支桿Ａ１３とを具備してなる。そして、これら各部は、金属パイプの折り曲げ加工および溶接加工によって一体に形成してなる。
【００２７】
座Ａ２は、図１、図２、図３などに示すように、前記座受け部Ａ１２に支持されるものであって、芯材部１と、前記芯材部１の表面側に配設されるクッション部２と、前記芯材部１および前記クッション部２を被覆する上張り地３とを具備してなる。
【００２８】
さらに、各部を詳述する。
【００２９】
芯材部１は、図４、図５等に示すように、略平坦な上向き面を有する芯材部本体１１と、前記芯材部本体１１の周端部において突出するように形成した外側周状リブ１２とを具備するとともに、前記芯材部本体１１の裏面側に、内側周状リブ１３、前側リブ１４、後側リブ１５、ホルダー部１６、空気抜き案内部１７、および集合リブ部１８を備え、これら各部を合成樹脂により一体に形成してなる。なお、本実施形態では、前記芯材部本体１１の厚み方向に貫通し、且つ該芯材部１を所定の緊締手段（本実施形態では、図示しないボルトとナットとを用いている。）により前記座受け部Ａ１２に取り付けるための取付部１９を、さらに一体に形成している。
【００３０】
より具体的に説明すると、芯材部本体１１は、平面視略矩形状の薄板状のものである。そして、前縁１１１と後縁１１２とは、それぞれ略直線形状を有するものであり、略平行に配置されている。また、両側縁１１３、１１４は、それぞれ外方に若干膨出する部分円弧形状を有するものである。
【００３１】
外側周状リブ１２は、前記芯材部本体１１の周縁部において、その芯材部本体１１と略直角をなすように起立する薄板状のものであって、本実施形態では、表面側に起立する表面外側周状リブ１２ａと、裏面側に起立する裏面外側周状リブ１２ｂとを備えてなる。
【００３２】
内側周状リブ１３は、前記裏面外側周状リブ１２ｂより内方に設けられ且つ、その裏面外側周状リブ１２ｂと相似形状を有する薄板状のものである。
【００３３】
前側リブ１４は、前記芯材部本体１１から略直角に起立する薄板状のものであって、前記取付部１９のうち前側の取付部１９を結ぶ線上に設けられてなる。
【００３４】
後側リブ１５は、前記芯材部本体１１から略直角に起立する薄板状のものであって、前記取付部１９のうち後側の取付部１９を結ぶ線上に設けられてなる。
【００３５】
ホルダー部１６は、前記前側リブ１４間に挟まれる位置に設けられるものである。そして、前記芯材部本体１１から略直角に起立する薄板状の一対の起立片１６１と、この起立片１６１の上端部側を連結する連結片１６２とを具備してなる。なお、この連結片１６２は、該連結片１６２と前記芯材部本体１１との間にスリット部１６Ｓを備えるべく、その芯材部本体１１から離間させて配置している。さらにこの連結片１６２は、長手方向略中央部を外方に略部分円弧状に膨出させている。加えて、前記芯材部本体１１において、この連結片１６２と平面視重合する部位に、その芯材部本体１１の厚み方向に貫通する溝部１１Ｍを形成している（図４、図５参照。）。
【００３６】
空気抜き案内部１７は、図４、図５、図６、図７などに示すように、前記芯材部本体１１の裏面側における前記後側リブ１５間に挟まれる位置たる所定位置に設けられてなる。なお、本実施形態において、その所定位置を、着座した利用者の臀部が当接する部位、すなわち、着座した利用者の体重が集中する部位に設定している。
【００３７】
そして、その芯材部本体１１から略直角に起立する一対の外側補強リブ１７１と、外側補強リブ１７１の先端部を横架する横架片１７２とを具備し、これら一対の外側補強リブ１７１と横架片１７２とが、断面視略上向きコ字状を有するように構成している。また、本実施形態では、前記外側補強リブ１７１間に、それらと平行に配置される複数の内側補強リブ１７３を設けるとともに、この内側補強リブ１７３の先端部を、前記横架片１７２に接続させている。
【００３８】
さらに、外側補強リブ１７１とこの外側補強リブ１７１に隣接する内側補強リブ１７３との上端部間に、表面側開口部Ｘを形成している。加えて、隣接する内側補強リブ１７３間における上端部間にも、表面側開口部Ｘを形成している。
【００３９】
またさらに、外側補強リブ１７１とこの外側補強リブ１７１に隣接する内側補強リブ１７３との端縁間に、裏面側開口部Ｙを形成している。加えて、隣接する内側補強リブ１７３間における端縁間にも、裏面側開口部Ｙを形成している。
【００４０】
このように、各補強リブ１７１、１７３および横架片１７２によって形成される表面側開口部Ｘと裏面側開口部Ｙとが、芯材部１の表面側と裏面側とを連通している。
【００４１】
集合リブ部１８は、前記外側周状リブ１２の前縁および後縁から前記取付部１９近傍にかけて設けたものであって、複数のリブ要素１８ａを備えてなる。なお、各リブ要素１８ａは平面視略格子状をなすように配置されている。
【００４２】
クッション部２は、使用済みのウレタンフォームを分断形成した複数のクッション要素２１を、接着して再接合させることにより形成した再生品たるチップウレタンである。なお、本実施形態では、当該椅子Ａの幅方向における個々のクッション要素２１の寸法２１ａを、前記表面側開口部Ｘの幅寸法Ｘ１よりも大きく構成している（図８参照）。
【００４３】
上張り地３は、通気性を有さないものであって、本実施形態では、この上張り地３の素材にビニールレザーを用いている。
【００４４】
背凭れＡ３は、背支桿Ａ１３に支持されるものであって、背凭れ用芯材部Ａ３１と、前記背凭れ用芯材部Ａ３１の表面側に配設される背凭れ用クッション部Ａ３２と、前記背凭れ用芯材部Ａ３１および前記背凭れ用クッション部Ａ３２を被覆する背凭れ用上張り地Ａ３３とを具備してなる。
【００４５】
この背凭れ用芯材部Ａ３１、背凭れ用クッション部Ａ３２および背凭れ用上張り地Ａ３３は、前記芯材部１、前記クッション部２および前記上張り地３と略同様の構成を有しているため説明を省略する。
【００４６】
以上のように構成される椅子Ａについて、その使用方法を、以下説明する。
【００４７】
（１）椅子Ａへの着座。
【００４８】
利用者が着座していない状態では、クッション部２は、その内部に空気を含む状態にある。また、クッション部２と上張り地３との間にも空気を含む状態にある。
【００４９】
そして、利用者が着座すると、上張り地３を介してクッション部２が圧縮される。
【００５０】
すると、クッション部２などに含まれる空気は、通気性の無い上張り地３によって上方へ放出されることを阻まれ、また、芯材部本体１１によっても下方へ放出されることを阻まれるため、上張り地３と芯材部本体１１との間で圧縮されることとなる。
【００５１】
このように圧縮された空気は、表面側開口部Ｘから裏面側開口部Ｙに案内されて放出される。なお、このとき、開口面積の大きな表面側開口部（一対の外側補強リブ１７１と横架片１７２とで構成されるもの。）を、その大きな開口面積を分割して小さくした複数の表面側開口部Ｘ（外側補強リブ１７１とこの外側補強リブ１７１に隣接する内側補強リブ１７３とで構成されるもの、及び、隣接する内側補強リブ１７３間で構成されるもの。）によって、トータルの開口面積を略確保しているので、圧縮される空気を効果的に案内できる。
【００５２】
また、圧縮され表面側開口部Ｘに位置付けられているクッション部２は、空気抜き案内部１７内に入り込む向きの力を受けているが、芯材部本体１１の内側補強リブ１７３の上端部によって、空気抜き案内部１７内に入り込むことを防止されている。
【００５３】
また、さらに、利用者が背凭れＡ３に凭れかかった場合において、前記背凭れ用クッション部Ａ３２などが、前記クッション部２などと略同様の作用効果を奏する。
【００５４】
（２）椅子Ａからの離席
利用者が着座しいる状態では、クッション部２は、圧縮された状態にある。
【００５５】
そして、利用者が離席すると、圧縮されていたクッション部２は、その弾性により復元を始める。
【００５６】
クッション部２が復元を始めると、そのクッション部２は、その内部に空気を吸い込もうとするが、上方は上張り地３により覆われており、また、下方は芯材部本体１１によりほとんどの部位を覆われているため、それらを介して空気を吸い込むことができない。したがって、表面側開口部Ｘを介して裏面側開口部Ｙから集中して空気を吸い込むこととなる。このように、前記表面側開口部Ｘから空気がクッション部２に向けて吸い込まれることとなるが、前記表面側開口部Ｘは、充分な開口面積を有しているため、吸い込まれる空気によって不要音が発生することがない。
【００５７】
なお、このような離席時に前記背凭れＡ３においても、前記背凭れ用クッション部Ａ３２などが、前記クッション部２などと略同様の作用効果を奏する。
【００５８】
このように、本実施形態に係る椅子Ａは、裏面側開口部Ｙや表面側開口部Ｘの開口面積を広くしているので、着座により上張り地３と芯材部１との間で圧縮される空気が、表面側開口部Ｘより裏面側開口部Ｙに案内されて、効果的に放出される。すなわち、着座時に発生する不要音を防止することができる。また、裏面側開口部Ｙを、表面側開口部Ｘと平面視重合する位置を避けた裏面側の所定位置に位置付けているので、表面側開口部Ｘの表面側にあるクッション部２に手指が触れることを防止できる。
【００５９】
すなわち、着座時に不要音が発生せず且つクッション部２により快適なクッション性を得られ、また、そのクッション部２が芯材部１の開口部から露出することを効果的に防止して且つそのクッション部２を直接触手不能であるといった、高性能な椅子Ａを実現することができる。
【００６０】
なお、前記裏面側開口部Ｙと前記表面側開口部Ｘとを、略直交する位置関係に配置しているので、表面側開口部Ｘと裏面側開口部Ｙとを近接配置して、該芯材部１をコンパクトに構成することができる。
【００６１】
また、前記クッション部２が、複数のクッション要素２１を接合させることにより形成したものであり、また、前記表面側開口部Ｘを、個々のクッション要素２１よりも小さく構成しているので、クッション部２と表面側開口部Ｘとの当接等によって生じるクッション要素２１の接合が解除されることを、効果的に防止できる。また、擦れたりして接合を解除された場合でも、クッション要素２１が、表面側開口部Ｘからその表面側開口部Ｘ内に入ってしまうことを防止できる。
【００６２】
また、前記クッション部２が、使用済みの所定部材を分断して形成したクッション要素２１を、再成形することにより形成した再生品であるので、環境問題に配慮して、使用済みの部材の有効利用を推進できる。また、再生品に外観上の問題があっても、このクッション部２は、外観に露出されるものではないので、略そのままで使用でき、コストダウンを図ることもできる。
【００６３】
ところで、前記上張り地３に、通気性を有さないビニールレザーを用いているが、このような通気性の無い素材であっても、圧縮される空気を効果的に放出でき、不要音が発生することは無い。また、安価に構成できるのでコストダウンを推進できる。
【００６４】
さらに、表面側開口部Ｘを、個々のクッション要素２１よりも小さい複数の開口部に分割形成しているので、クッション要素２１が外部にこぼれ出ることを防止しつつ内部の空気を効果的に放出することができる。
【００６５】
加えて、前記表面側開口部Ｘ側を基端とし、且つ、前記表面側開口部Ｘから離間する方向に延びる外側補強リブ１７１および内側補強リブ１７３を、裏面側に備え、前記内側補強リブ１７３によって、一対の外側補強リブ１７１間に囲まれる表面側開口部Ｘを、その表面側開口部Ｘより小さな複数の開口部に分割しているため、耐荷重性を向上させることができる。
【００６６】
前記表面側開口部Ｘ側を基端とし、且つ、前記表面側開口部Ｘから離間する方向に延びる補強リブを、表面側に備えているため、所要の効果を保持しつつ外観に突起物が出ずに、その外観をすっきりさせることができる。
【００６７】
なお、前記補強リブ１７１、１７３の先端部間を横架する横架片１７２を備えているので、さらに耐荷重性が向上する。
【００６８】
前記横架片１７２と、前記横架片１７２の両側縁から起立する外側補強リブ１７１とが、断面視略上向きコ字状の空気抜き案内部１７を形成するものであって、前記空気抜き案内部１７における前記外側補強リブ１７１の基端部に、前記表面側開口部Ｘを設定し、前記空気抜き案内部１７における前記外側補強リブ１７１の端縁と前記横架片１７２の端縁とで囲まれる部位に、前記裏面側開口部Ｙを設定しているため、クッション部２に手指が触れることを効果的に禁止することができる。
【００６９】
なお、本発明は、以上に詳述した実施形態に限られるものではない。
【００７０】
例えば、空気抜き案内部１７を、両端部に表面側開口部Ｘと裏面側開口部Ｙとを設定したＬ字状やＮ字状などに形状を有するパイプ等で構成することもできる。
【００７１】
また、上張り地３の素材に、ビニールレザーを用いているが、通気性を有しないものであれば他の素材を用いることもできる。さらに、この上張り地３に用いる素材は、完全に通気性の無い素材である必要は無く、ある程度通気性のあるものでも構わない。
【００７２】
また、クッション部２には、再生品のウレタンチップを用いているが、再生品に限られるものではない。さらに、分断されたクッション要素２１でクッション部２を形成しているが、分断されていないものであっても使用することができる。
【００７３】
またさらに、クッション部２を構成する素材をウレタンとしているが、クッション性のある素材であれば、これに限られるものではない。
【００７４】
また、複数の空気抜き案内部１７を、芯材部１に備えるようにしても良い。
【００７５】
さらに、各種リブの形状や配置方法なども本実施形態に限られるものではなく、例えば、より強度を要するものであれば、リブの厚みを大きくしたり、あるいは、前記表面側開口部Ｘ側を基端とし、且つ、前記表面側開口部Ｘから離間する方向に延びる補強リブを、表面側に備えたりするなど、実施態様に応じて適宜変更可能である。
【００７６】
またさらに、芯材部本体１１と空気抜き案内部１７などを合成樹脂により一体に形成しているが、別の素材で別体に形成したものを組み合わせて利用することもできる。
【００７７】
また、ホルダー部１６に備えた溝に、例えば、該椅子Ａの取扱説明書を挿入して、その溝部１１Ｍにこの取扱説明書を支持させることも可能である（図５中に想像線で示す。）。
【００７８】
さらに、図２、図３に想像線で示すようなカバー体を座Ａ２の下面側に設けても良い。
【００７９】
その他、各部の具体的構成についても上記実施形態に限られるものではなく、本発明の趣旨を逸脱しない範囲で種々変形が可能である。
【図面の簡単な説明】
【００８０】
【図１】本発明の一実施形態における椅子を示す全体斜視図。
【図２】同実施形態における椅子の正面図。
【図３】同実施形態における椅子の構造断面図。
【図４】同実施形態における芯材部を示す表面側の全体斜視図。
【図５】同実施形態における芯材部を示す裏面側の全体斜視図。
【図６】同実施形態における表面側から見た空気抜き案内部を示す斜視図。
【図７】同実施形態における裏面側から見た空気抜き案内部を示す斜視図。
【図８】同実施形態におけるクッション部と空気抜き案内部との配置態様を模式的に示す断面図。
【符号の説明】
【００８１】
１・・・・・芯材部
２・・・・・クッション部
３・・・・・上張り地
１７・・・・空気抜き案内部
２１・・・・クッション要素
１７１・・・補強リブ（外側補強リブ）
１７２・・・横架片
１７３・・・補強リブ（内側補強リブ）
Ａ・・・・・椅子
Ａ２・・・・椅子用座（座）
Ａ３・・・・椅子用背凭れ（背凭れ）
Ｘ・・・・・表面側開口部
Ｙ・・・・・裏面側開口部
【図１】
2005144048.tif 000003
【図２】
2005144048.tif 000004
【図３】
2005144048.tif 000005
【図４】
2005144048.tif 000006
【図５】
2005144048.tif 000007
【図６】
2005144048.tif 000008
【図７】
2005144048.tif 000009
【図８】
2005144048.tif 000010